(57)【要約】【課題】カートリッジの交換寿命を延ばす第２モードを実行するときに、像担持体や回収部材の交換寿命を延ばすことができる画像形成装置を提供すること。【解決手段】  通常の印刷モードと、現像カートリッジ１０の交換寿命を通常の印刷モードよりも延ばすトナーセーブモードとを選択的に実行可能なプリンタ１において、トナーセーブモードを実行するときに、ドラムクリーニングローラ９に保持されている転写残トナーを感光ドラム７に戻す動作を実施しない。これにより、トナーセーブモードを実行するときに、感光ドラム７やドラムクリーニングローラ９の動作を低減し、感光ドラム７やドラムクリーニングローラ９の交換寿命を延ばす。【選択図】図２
2014235261.tif 000002
【特許請求の範囲】
【請求項１】
トナー像を担持するように構成される像担持体と、
トナーを収容し、前記像担持体にトナーを供給するように構成されるカートリッジと、
前記像担持体から記録媒体への前記トナー像の転写後において、前記像担持体に付着している残トナーを前記像担持体から回収するように構成される回収部材と、
カートリッジの交換寿命を第１の期間にする第１モードと、カートリッジの交換寿命を前記第１の期間よりも長い第２の期間にする第２モードとを選択的に実行するように構成される制御装置と
を備え、
前記制御装置は、
前記第１モードを実行するときに、第１の頻度で前記回収部材により回収された残トナーを前記像担持体へ戻すように前記回収部材を制御し、
前記第２モードを実行するときに、前記第１の頻度よりも少ない第２の頻度で前記回収部材により回収された残トナーを前記像担持体へ戻すか、または、残トナーを保持し続けるように前記回収部材を制御する
ことを特徴とする、画像形成装置。
【請求項２】
前記制御装置は、前記第２モードを実行するときに、前記像担持体に付着している残トナーを回収するように前記回収部材を制御する
ことを特徴とする、請求項１に記載の画像形成装置。
【請求項３】
前記制御装置は、前記第２モードを実行するときに、前記像担持体に付着している残トナーの回収を弱めるように前記回収部材を制御する
ことを特徴とする、請求項１に記載の画像形成装置。
【請求項４】
前記像担持体に供給するためのトナーを担持するように構成される現像剤担持体をさらに備え、
前記現像剤担持体は、前記回収部材が前記像担持体に戻した残トナーを回収する
ことを特徴とする、請求項１ないし３のいずれか一項に記載の画像形成装置。
【発明の詳細な説明】
【技術分野】
【０００１】
本発明は、電子写真方式が採用される画像形成装置に関する。
【背景技術】
【０００２】
電子写真方式が採用される画像形成装置として、現像剤像を担持する像担持体と、像担持体に現像剤を供給する現像装置とを備える画像形成装置が知られている。
【０００３】
このような画像形成装置として、トナー像が転写された後に感光体表面に残存する転写残トナーを回収するブラシローラを備え、ブラシローラに回収された転写残トナーを所定のタイミングで感光体に吐き出すように動作されるプリンタが知られている（たとえば、下記特許文献１参照。）。
【０００４】
また、画像形成装置として、トナーの使用量を減らしてプリント動作を実施するトナーセーブモードを有する電子写真記録装置が提案されている（たとえば、下記特許文献２参照。）。
【先行技術文献】
【特許文献】
【０００５】
【特許文献１】特開２００７−１２１６５７号公報
【特許文献２】特開平９−１８５２０８号公報
【発明の概要】
【発明が解決しようとする課題】
【０００６】
しかるに、上記した特許文献２に記載されるトナーセーブモードでは、トナーの使用量が低減されているので、転写残トナーの発生量が少ないと考えられる。
【０００７】
この場合に、上記した特許文献１に記載されるような吐き出し動作を実施すると、転写残トナーの回収量が少ない状態であるにもかかわらず、吐き出し動作を実行する。言い換えると、画像形成装置は、ブラシローラが転写残トナーを回収することができる状態であるにもかかわらず、吐き出し動作を実行する。すると、吐き出し動作の実行に伴い、像担持体やブラシローラなどの部材が動作する。
【０００８】
そのため、吐き出し動作に関係する部材の損耗を抑制することが困難であり、吐き出し動作に関係する部材の交換寿命を延ばすことが困難である。
【０００９】
そこで、本発明の目的は、カートリッジの交換寿命を延ばす第２モードを実行するときに、像担持体や回収部材の交換寿命を延ばすことができる画像形成装置を提供することにある。
【課題を解決するための手段】
【００１０】
（１）上記した目的を達成するために、本発明の画像形成装置は、トナー像を担持するように構成される像担持体と、トナーを収容し、像担持体にトナーを供給するように構成されるカートリッジと、像担持体から記録媒体へのトナー像の転写後において、像担持体に付着している残トナーを像担持体から回収するように構成される回収部材と、カートリッジの交換寿命を第１の期間にする第１モードと、カートリッジの交換寿命を第１の期間よりも長い第２の期間にする第２モードとを選択的に実行するように構成される制御装置とを備える。
【００１１】
制御装置は、第１モードを実行するときに、第１の頻度で回収部材により回収された残トナーを像担持体へ戻すように回収部材を制御する。
【００１２】
また、制御部材は、第２モードを実行するときに、第１の頻度よりも少ない第２の頻度で回収部材により回収された残トナーを像担持体へ戻すか、または、残トナーを保持し続けるように回収部材を制御する。
【００１３】
このような構成によれば、カートリッジの交換寿命を延ばす第２モードを実行するときに、残トナーを回収部材から像担持体に戻す頻度を低減するか、または、残トナーを回収部材から像担持体に戻さない。
【００１４】
そのため、第２モードを実行するときに、像担持体や回収部材の動作を低減することができる。
【００１５】
その結果、第２モードを実行するときに、像担持体や回収部材の交換寿命をも延ばすことができる。
（２）制御装置は、第２モードを実行するときに、像担持体に付着している残トナーを回収するように回収部材を制御してもよい。
【００１６】
このような構成によれば、第２モードにおいて、像担持体をクリーニングすることができる。
（３）制御装置は、第２モードを実行するときに、像担持体に付着している残トナーの回収を弱めるように回収部材を制御してもよい。
【００１７】
このような構成によれば、第２モードにおいて、回収部材に保持される残トナーが増加することを抑制できる。
（４）本発明の画像形成装置は、像担持体に供給するためのトナーを担持するように構成される現像剤担持体をさらに備えてもよい。この場合、現像剤担持体は、回収部材が像担持体に戻した残トナーを回収してもよい。
【００１８】
このような構成によれば、現像剤担持体を利用して残トナーを回収することができ、残トナーを回収するための部材を別途設ける場合と比べて、画像形成装置の構成を簡略化することができる。
【発明の効果】
【００１９】
本発明の画像形成装置によれば、カートリッジの交換寿命を延ばす第２モードを実行するときに、像担持体や回収部材の交換寿命を延ばすことができる。
【図面の簡単な説明】
【００２０】
【図１】図１は、本発明の画像形成装置の第１実施形態を示すプリンタの中央断面図である。
【図２】図２は、図１に示すプリンタの動作を示すタイミングチャートである。
【図３】図３は、第２実施形態のプリンタの動作を示すタイミングチャートである。
【図４】図４は、第３実施形態のプリンタの中央断面図である。
【図５】図５は、第３実施形態のプリンタの動作を示すタイミングチャートである。
【発明を実施するための形態】
【００２１】
１．プリンタの全体構成
図１に示すように、画像形成装置の一例としてのプリンタ１は、横置きタイプのダイレクトタンデム型カラーレーザプリンタである。
【００２２】
なお、以下の説明において、方向について言及する場合には、プリンタ１を水平に載置した状態を上下の基準とする。すなわち、図１の紙面上方が上方であり、図１の紙面下方が下方である。また、図１の紙面左方が前方であり、図１の紙面右方が後方である。また、プリンタ１を前方から見たときを左右の基準とする。すなわち、図１の紙面手前が右方であり、紙面奥が左方である。
【００２３】
プリンタ１は、略ボックス形状の本体ケーシング２内において、スキャナユニット３と、プロセスユニット４と、転写ユニット５と、定着ユニット６とを備えている。
【００２４】
スキャナユニット３は、本体ケーシング２の上端部に配置されている。スキャナユニット３は、図１に破線で示すように、プロセスユニット４の後述する感光ドラム７に向かって、画像データに基づいてレーザービームを出射し、後述する感光ドラム７を露光する。
【００２５】
プロセスユニット４は、スキャナユニット３の下方に配置されている。プロセスユニット４は、複数の像担持体の一例としての感光ドラム７と、複数のスコロトロン型帯電器８と、複数の回収部材の一例としてのドラムクリーニングローラ９と、複数のカートリッジの一例としての現像カートリッジ１０とを備えている。
【００２６】
複数の感光ドラム７のそれぞれは、イエロー、マゼンタ、シアン、ブラックのそれぞれに対応している。複数の感光ドラム７のそれぞれは、プロセスユニット４の下端部において、右側面視反時計回りに回転するように支持されている。複数の感光ドラム７のそれぞれは、前方から後方に向かって、イエロー、マゼンタ、シアン、ブラックの順に互いに間隔を隔てて並列配置されている。複数の感光ドラム７のそれぞれは、左右方向に長手の略円筒形状を有している。
【００２７】
複数のスコロトロン型帯電器８のそれぞれは、複数の感光ドラム７のそれぞれに対応し、対応する感光ドラム７の後上側に間隔を隔てて配置されている。
【００２８】
複数のドラムクリーニングローラ９のそれぞれは、複数の感光ドラム７のそれぞれに対応し、対応する感光ドラム７の後端部に接触している。
【００２９】
複数の現像カートリッジ１０のそれぞれは、複数の感光ドラム７のそれぞれに対応し、対応する感光ドラム７の上方に配置されている。なお、後述するが、複数の現像カートリッジ１０のそれぞれは、対応する感光ドラム７に対して接触または離間するように構成されている。複数の現像カートリッジ１０のそれぞれは、現像剤担持体の一例としての現像ローラ１１と、供給ローラ１２とを備えている。また、現像カートリッジ１０は、現像ローラ１１および供給ローラ１２の上方の空間において、各色に対応するトナーを収容している。
【００３０】
現像ローラ１１は、現像カートリッジ１０の下端部において、後方へ露出するように回転可能に支持されている。また、現像ローラ１１は、感光ドラム７の前上端部に接触している。
【００３１】
供給ローラ１２は、現像ローラ１１の前上方に配置されている。供給ローラ１２は、現像ローラ１１の前上端部に接触している。
【００３２】
転写ユニット５は、プロセスユニット４の下方に配置されている。転写ユニット５は、駆動ローラ１３、従動ローラ１４と、搬送ベルト１５と、複数の転写ローラ１６とを備えている。
【００３３】
駆動ローラ１３は、転写ユニット５の後端部に配置されている。
【００３４】
従動ローラ１４は、駆動ローラ１３の前方に間隔を隔てて対向配置されるように、転写ユニット５の前端部に配置されている。
【００３５】
搬送ベルト１５は、その上側部分がすべての感光ドラム７と接触するように、駆動ローラ１３および従動ローラ１４の周りに巻回されている。搬送ベルト１５は、駆動ローラ１３の駆動、および、従動ローラ１４の従動により、その上側部分が前方から後方へ向かって移動するように、周回移動される。
【００３６】
複数の転写ローラ１６のそれぞれは、複数の感光ドラム７のそれぞれに対応し、対応する感光ドラム７の下方において、搬送ベルト１５の上側部分を挟んで配置されている。
【００３７】
定着ユニット６は、転写ユニット５の後方に配置され、加熱ローラ１７、および、加熱ローラ１７に接触する加圧ローラ１８を備えている。
【００３８】
そして、プリンタ１が画像形成動作を開始すると、スコロトロン型帯電器８は、感光ドラム７の表面を一様に帯電する。その後、スキャナユニット３は、感光ドラム７の表面を露光する。これにより、画像データに基づく静電潜像が、感光ドラム７の表面に形成される。
【００３９】
また、供給ローラ１２は、現像カートリッジ１０内のトナーを現像ローラ１１に供給する。このとき、トナーは、現像ローラ１１と供給ローラ１２との間で正極性に摩擦帯電され、現像ローラ１１上に担持される。
【００４０】
そして、現像ローラ１１は、担持されたトナーを、感光ドラム７の表面上の静電潜像に供給する。これにより、トナー像が、感光ドラム７の表面上に担持される。
【００４１】
記録媒体の一例としての用紙Ｐは、給紙トレイ１９から、各種ローラの回転により、所定のタイミングで１枚ずつ、イエローの感光ドラム７と、対応する転写ローラ１６との間に給紙される。その後、用紙Ｐは、搬送ベルト１５によって前方から後方へ向かって搬送される。感光ドラム７上のトナー像は、用紙Ｐが感光ドラム７と転写ローラ１６との間を通過するときに、用紙Ｐに転写される。
【００４２】
その後、用紙Ｐは、加熱ローラ１７と加圧ローラ１８との間を通過するときに加熱および加圧される。このとき、用紙Ｐ上のトナー像は、用紙Ｐに熱定着される。その後、用紙Ｐは、排紙トレイ２０に排紙される。
２．プリンタの詳細
（１）ベルトクリーナ
本体ケーシング２は、ベルトクリーナ４１を備えている。
【００４３】
ベルトクリーナ４１は、転写ユニット５の下方に配置されている。ベルトクリーナ４１は、転写残トナー収容部材４３と、ベルトクリーニングローラ４２とを備えている。
【００４４】
転写残トナー収容部材４３は、略ボックス形状を有している。
【００４５】
ベルトクリーニングローラ４２は、転写残トナー収容部材４３の後上端部に回転可能に支持されている。ベルトクリーニングローラ４２は、左右方向に延びる略円柱形状を有している。ベルトクリーニングローラ４２の上端部は、転写残トナー収容部材４３から上方に露出されており、搬送ベルト１５の下側部分に接触している。
（２）制御部
本体ケーシング２は、制御装置の一例としての制御部３０を備えている。
【００４６】
制御部３０は、ＣＰＵおよびメモリなどを有している。制御部３０は、図１に破線で示すように、配線を介して、複数のドラムクリーニングローラ９のそれぞれに電気的に接続されている。制御部３０は、複数のドラムクリーニングローラ９のそれぞれに所定のドラムクリーニングバイアスを印加する。
３．画像形成動作
プリンタ１は、制御部３０の制御により、通常の印刷モードと、通常の印刷モードよりも印刷濃度や解像度などを低下させてトナーの消費量を低減させながら印刷するトナーセーブモードとに切り替え可能である。トナーセーブモードでは、トナーの消費量が低減されるので、現像カートリッジ１０の交換寿命を延ばすことができる。具体的には、現像カートリッジ１０が、通常の印刷モードで印刷したときに、例えば、３０００枚印刷可能であるとすると、トナーセーブモードでは、例えば、４０００枚印刷可能となる。すなわち、トナーセーブモードにおける現像カートリッジ１０の交換寿命は、３０００枚の印刷が可能な第１の期間よりも、４０００枚の印刷が可能な第２の期間に延びる。通常の印刷モードが第１モードの一例であり、トナーセーブモードが第２モードの一例である。
（１）通常の印刷モード
プリンタ１に通常の印刷モードを指定する印刷ジョブが入力されると、制御部３０は、プリンタ１を通常の印刷モードで動作させる。
【００４７】
この場合、制御部３０は、まず、図２ＡにＴ１として示すように、複数の感光ドラム７のそれぞれを駆動させる。また、制御部３０は、複数のドラムクリーニングローラ９のそれぞれに、トナーの帯電極性とは逆の負極性のドラムクリーニングバイアスを印加する。
【００４８】
なお、このとき、図示しないが、制御部３０は、複数のスコロトロン型帯電器８のそれぞれに所定の帯電バイアスを印加し、複数の転写ローラ１６のそれぞれに、所定の転写バイアスを印加する。
【００４９】
次いで、制御部３０は、図２ＡにＴ２として示すように、複数の現像カートリッジ１０のそれぞれを駆動させる。このとき、複数の現像カートリッジ１０のそれぞれは、所定量のトナーを、対応する感光ドラム７に供給する。感光ドラム７に対するトナーの供給量は、例えば、現像ローラ１１の回転速度、現像ローラ１１に印加される現像バイアス、スキャナユニット３の光量などを調整することにより、所定量に設定することができる。
【００５０】
その後、上記したようにして、画像形成動作が実施される。このとき、トナー像の転写後に複数の感光ドラム７のそれぞれに付着している転写残トナーは、対応するドラムクリーニングローラ９によって回収され、対応するドラムクリーニングローラ９に静電気的に保持される。
【００５１】
そして、画像形成動作が終了すると、図２ＡにＴ３として示すように、制御部３０は、複数の感光ドラム７のそれぞれの駆動を停止させるとともに、複数のドラムクリーニングローラ９のそれぞれに対するドラムクリーニングバイアスの印加を停止する。
【００５２】
なお、このとき、図示しないが、制御部３０は、複数のスコロトロン型帯電器８のそれぞれに対する帯電バイアスの印加、複数の転写ローラ１６のそれぞれに対する転写バイアス印加も停止する。
【００５３】
そして、通常の印刷モードでは、画像形成動作が終了した後に、所定のタイミングで、ドラムクリーニングローラ９に保持されている転写残トナーを、ベルトクリーナ４１に回収する。
【００５４】
まず、転写残トナーを回収するには、制御部３０は、図２ＡにＴ４として示すように、複数の感光ドラム７のそれぞれを駆動させる。また、制御部３０は、複数のドラムクリーニングローラ９のそれぞれに、トナーの帯電極性と同じ正極性のドラムクリーニングバイアスを印加する。
【００５５】
なお、このとき、図示しないが、制御部３０は、複数のスコロトロン型帯電器８のそれぞれに所定の帯電バイアスを印加し、複数の転写ローラ１６のそれぞれに、所定の転写バイアスを印加する。
【００５６】
すると、複数のドラムクリーニングローラ９のそれぞれに保持されている転写残トナーは、正極性のドラムクリーニングバイアスにより、対応する感光ドラム７の表面に吐き出される。
【００５７】
その後、感光ドラム７の表面に吐き出された転写残トナーは、転写バイアスによって、搬送ベルト１５の表面に転写され、搬送ベルト１５の周回移動に伴って、ベルトクリーナ４１に回収される。
【００５８】
その後、制御部３０は、図２ＡにＴ５として示すように、複数のドラムクリーニングローラ９のそれぞれに印加されるドラムクリーニングバイアスを、トナーの帯電極性と逆の負極性のドラムクリーニングバイアスに切り替える。
【００５９】
これにより、転写残トナーの回収に利用された感光ドラム７の表面は、再度クリーニングされる。
【００６０】
その後、制御部３０は、図２ＡにＴ６として示すように、複数の感光ドラム７のそれぞれの駆動を停止させるとともに、複数のドラムクリーニングローラ９のそれぞれに対するドラムクリーニングバイアスの印加を停止する。
【００６１】
なお、このとき、図示しないが、制御部３０は、複数のスコロトロン型帯電器８のそれぞれに対する帯電バイアスの印加、複数の転写ローラ１６のそれぞれに対する転写バイアス印加も停止する。
【００６２】
このように、通常の印刷モードが実行される。
（２）トナーセーブモード
プリンタ１にトナーセーブモードを指定する印刷ジョブが入力されると、制御部３０は、プリンタ１をトナーセーブモードで動作させる。
【００６３】
この場合、制御部３０は、まず、図２ＢにＴ１として示すように、複数の感光ドラム７のそれぞれを駆動させる。また、制御部３０は、複数のドラムクリーニングローラ９のそれぞれに、トナーの帯電極性とは逆の負極性のドラムクリーニングバイアスを印加する。
【００６４】
なお、このとき、図示しないが、制御部３０は、複数のスコロトロン型帯電器８のそれぞれに所定の帯電バイアスを印加し、複数の転写ローラ１６のそれぞれに、所定の転写バイアスを印加する。
【００６５】
次いで、制御部３０は、図２ＢにＴ２として示すように、複数の現像カートリッジ１０のそれぞれを駆動させる。このとき、複数の現像カートリッジ１０のそれぞれは、通常の印刷モードの場合よりも少ない量のトナーを、対応する感光ドラム７に供給する。感光ドラム７に対するトナーの供給量を低減するには、例えば、現像ローラ１１の回転速度を低下させる方法、現像ローラ１１に印加される現像バイアスを低下させる方法、スキャナユニット３の光量を低減させる方法、印刷データを２値の露光データに変換する際に面積率を下げる方法などが挙げられる。
【００６６】
その後、上記したようにして、画像形成動作が実施される。このとき、トナー像の転写後に複数の感光ドラム７のそれぞれに付着している転写残トナーは、対応するドラムクリーニングローラ９によって回収され、対応するドラムクリーニングローラ９に静電気的に保持される。
【００６７】
そして、画像形成動作が終了すると、図２ＢにＴ３として示すように、制御部３０は、複数の感光ドラム７のそれぞれの駆動を停止させるとともに、複数のドラムクリーニングローラ９のそれぞれに対するドラムクリーニングバイアスの印加を停止する。
【００６８】
なお、このとき、図示しないが、制御部３０は、複数のスコロトロン型帯電器８のそれぞれに対する帯電バイアスの印加、複数の転写ローラ１６のそれぞれに対する転写バイアス印加も停止する。
【００６９】
そして、トナーセーブモードでは、図２Ｂに示すように、画像形成動作が終了した後に、ドラムクリーニングローラ９に保持されている転写残トナーの回収動作を実施しない。この場合、ドラムクリーニングローラ９は、転写残トナーを保持し続ける。なお、トナーセーブモードで発生した転写残トナーは、その後、上記した通常の印刷モードが実行されたときに、ベルトクリーナ４１に回収される。
【００７０】
このように、トナーセーブモードが実行される。
４．作用効果
（１）このプリンタ１によれば、図２Ｂに示すように、現像カートリッジ１０の交換寿命を延ばすトナーセーブモードを実行するときに、転写残トナーをドラムクリーニングローラ９から感光ドラム７に戻さない。
【００７１】
そのため、トナーセーブモードを実行するときに、感光ドラム７やドラムクリーニングローラ９の動作を低減することができる。
【００７２】
その結果、トナーセーブモードを実行するときに、感光ドラム７やドラムクリーニングローラ９の交換寿命をも延ばすことができる。
（２）また、このプリンタ１によれば、図２Ｂに示すように、制御部３０は、トナーセーブモードを実行するときに、感光ドラム７に付着している転写残トナーを回収するようにドラムクリーニングローラ９を制御する。
【００７３】
その結果、トナーセーブモードにおいて、感光ドラム７をクリーニングすることができる。
５．第２実施形態
図３を参照して、プリンタの第２実施形態を説明する。なお、第２実施形態において、上記した第１実施形態と同様の部材には同様の符号を付し、その説明を省略する。
（１）第２実施形態での印刷動作
上記した第１実施形態では、制御部３０は、トナーセーブモードを実行するときに、複数のドラムクリーニングローラ９のそれぞれに、トナーの帯電極性とは逆の負極性のドラムクリーニングバイアスを印加している。これにより、複数のドラムクリーニングローラ９のそれぞれは、トナーセーブモードにおいても、対応する感光ドラム７をクリーニングしている。
【００７４】
対して、第２実施形態では、図３にＴ１として示すように、制御部３０は、トナーセーブモードを実行するときに、複数のドラムクリーニングローラ９のそれぞれに、トナーの帯電極性と同じ正極性のドラムクリーニングバイアスを印加する。つまり、複数のドラムクリーニングローラ９のそれぞれは、トナーセーブモードにおいて、対応する感光ドラム７上の負極性のトナー、すなわち逆帯電しているトナーのみを回収し、正極性のトナーを回収しない。言い換えると、複数のドラムクリーニングローラ９のそれぞれは、トナーセーブモードにおいて、対応する感光ドラム７に対する回収力が弱くなる。
（２）第２実施形態の作用効果
（２−１）第２実施形態によれば、トナーセーブモードにおいて、ドラムクリーニングローラ９に保持される転写残トナーが増加することを抑制できる。
【００７５】
そのため、トナーセーブモードを連続して実行した場合に、ドラムクリーニングローラ９が転写残トナーを過剰に保持することを防止できる。
【００７６】
なお、第２実施形態では、トナーセーブモードにおいてドラムクリーニングローラ９の正極性に帯電している転写残トナーの回収力を弱めた場合でも、ドラムクリーニングローラ９に回収されなかった正極性に帯電している転写残トナーを、現像ローラ１１で回収することができる。
（２−２）第２実施形態においても、上記した第１実施形態と同様の作用効果を得ることができる。
６．第３実施形態
図４および図５を参照して、プリンタの第３実施形態を説明する。なお、第３実施形態において、上記した第１実施形態と同様の部材には同様の符号を付し、その説明を省略する。
（１）第３実施形態の概要
上記した第１実施形態では、プリンタ１をカラープリンタとして構成したが、第２実施形態では、プリンタ５１をモノクロプリンタとして構成する。
【００７７】
詳しくは、プリンタ５１は、図４に示すように、第１実施形態と異なり、プロセスユニット４の代わりに１つのプロセスカートリッジ５２を備え、転写ユニット５およびベルトクリーナ４１を備えていない。
【００７８】
プロセスカートリッジ５２は、現像カートリッジ１０と、現像カートリッジ１０が装着されるように構成されるドラムカートリッジ５３とを備えている。
【００７９】
現像カートリッジ１０は、上記した第１実施形態と異なり、現像カートリッジ１０がドラムカートリッジ５３に装着された状態において、常に感光ドラム７に接触している。
【００８０】
ドラムカートリッジ５３は、感光ドラム７と、回収部材の一例としての帯電ローラ５４と、転写ローラ１６とを、それぞれ１つずつ備えている。ドラムカートリッジ５３は、ドラムクリーニングローラ９を備えていない。
（２）プリンタの詳細
（２−１）帯電ローラ
帯電ローラ５４は、感光ドラム７の後上方に配置されている。帯電ローラ５４は、左右方向に延びる略円柱形状に形成されている。帯電ローラ５４は、感光ドラム７の後上端部に接触している。
（２−２）制御部
制御部３０は、図１に破線で示すように、配線を介して、帯電ローラ５４に電気的に接続されている。制御部３０は、帯電ローラ５４に所定の帯電バイアスを印加する。
（３）画像形成動作
（３−１）通常の印刷モード
プリンタ１に通常の印刷モードを指定する印刷ジョブが入力されると、制御部３０は、プリンタ１を通常の印刷モードで動作させる。
【００８１】
この場合、制御部３０は、まず、図５ＡにＴ１として示すように、感光ドラム７を駆動させる。また、制御部３０は、帯電ローラ５４に、トナーの帯電極性と同じ正極性の帯電バイアスを印加する。
【００８２】
なお、このとき、図示しないが、制御部３０は、転写ローラ１６に所定の転写バイアスを印加する。
【００８３】
次いで、制御部３０は、図５ＡにＴ２として示すように、現像カートリッジ１０を駆動させる。このとき、現像カートリッジ１０は、対応する感光ドラム７に所定量のトナーを供給する。
【００８４】
その後、上記したようにして、画像形成動作が実施される。このとき、トナー像の転写後に感光ドラム７に付着している転写残トナー中の逆帯電トナーは、帯電ローラ５４に静電気的に保持される。
【００８５】
そして、画像形成動作が終了すると、図５ＡにＴ３として示すように、制御部３０は、感光ドラム７の駆動を停止させるとともに、ドラムクリーニングローラ９に対するドラムクリーニングバイアスの印加を停止する。
【００８６】
なお、このとき、図示しないが、制御部３０は、転写ローラ１６に対する転写バイアス印加も停止する。
【００８７】
そして、通常の印刷モードでは、画像形成動作が終了した後に、所定のタイミングで、帯電ローラ５４に保持されている転写残トナーを、現像カートリッジ１０に回収する。
【００８８】
転写残トナーを回収するには、制御部３０は、図５ＡにＴ４として示すように、感光ドラム７を駆動させる。また、制御部３０は、帯電ローラ５４に印加される帯電バイアスを、感光ドラム７の周期に合わせて、正極性の帯電バイアスと負極性の帯電バイアスとに切り替える。
【００８９】
すると、帯電ローラ５４に保持されている転写残トナーは、帯電バイアスが正極性のときに、対応する感光ドラム７の表面に吐き出される。
【００９０】
その後、感光ドラム７の表面に吐き出された転写残トナーは、現像ローラ１１によって、現像カートリッジ１０に回収される。
【００９１】
その後、制御部３０は、図５ＡにＴ５として示すように、帯電ローラ５４に印加される帯電バイアスを、トナーの帯電極性と同じ正極性の帯電バイアスに切り替える。
【００９２】
その後、制御部３０は、図５ＡにＴ６として示すように、複数の感光ドラム７のそれぞれの駆動を停止させるとともに、帯電ローラ５４に対する帯電バイアスの印加を停止する。
【００９３】
このように、通常の印刷モードが実行される。
（３−２）トナーセーブモード
プリンタ１にトナーセーブモードを指定する印刷ジョブが入力されると、制御部３０は、プリンタ１をトナーセーブモードで動作させる。
【００９４】
この場合、制御部３０は、まず、図５ＢにＴ１として示すように、感光ドラム７を駆動させる。また、制御部３０は、帯電ローラ５４に、トナーの帯電極性と同じ正極性の帯電バイアスを印加する。
【００９５】
なお、このとき、図示しないが、制御部３０は、転写ローラ１６に、所定の転写バイアスを印加する。
【００９６】
次いで、制御部３０は、図５ＢにＴ２として示すように、現像カートリッジ１０を駆動させる。このとき、現像カートリッジ１０は、通常の印刷モードの場合よりも少ない量のトナーを、対応する感光ドラム７に供給する。
【００９７】
その後、上記したようにして、画像形成動作が実施される。このとき、トナー像の転写後に感光ドラム７に付着している転写残トナー中の逆帯電トナーは、帯電ローラ５４に静電気的に保持される。
【００９８】
そして、画像形成動作が終了すると、図５ＢにＴ３として示すように、制御部３０は、感光ドラム７の駆動を停止させるとともに、帯電ローラ５４に対する帯電バイアスの印加を停止する。
【００９９】
なお、このとき、図示しないが、制御部３０は、転写ローラ１６に対する転写バイアス印加も停止する。
【０１００】
そして、トナーセーブモードでは、図５Ｂに示すように、画像形成動作が終了した後に、帯電ローラ５４に保持されている転写残トナーの回収動作を実施しない。この場合、帯電ローラ５４は、転写残トナーを保持し続ける。なお、トナーセーブモードで発生した転写残トナーは、その後、上記した通常の印刷モードが実行されたときに、現像カートリッジ１０に回収される。
【０１０１】
このように、トナーセーブモードが実行される。
（４）第３実施形態の作用効果
（４−１）第３実施形態のプリンタ５１によれば、現像ローラ１１を利用して転写残トナーを回収することができ、転写残トナーを回収するための部材を別途設ける場合と比べて、プリンタ１の構成を簡略化することができる。
（４−２）第３実施形態においても、上記した第１実施形態と同様の作用効果を得ることができる。
７．変形例
上記した各実施形態では、トナーセーブモードにおいて、転写残トナーの回収動作を実施していないが、トナーセーブモードでは、転写残トナーの回収動作の実施頻度を減らすように制御することもできる。
【０１０２】
具体的には、通常の印刷モードにおいて、１つの印刷ジョブごと、すなわち、第１の頻度で転写残トナーの回収動作を実施し、トナーセーブモードにおいて、複数の印刷ジョブごと、すなわち、第１の頻度よりも少ない第２の頻度で転写残トナーの回収動作を実施することもできる。
【符号の説明】
【０１０３】
１      プリンタ
７      感光ドラム
９      ドラムクリーニングローラ
１０    現像カートリッジ
１１    現像ローラ
３０    制御部
５１    プリンタ
５４    帯電ローラ
Ｐ      用紙
【図１】
2014235261.tif 000003
【図２】
2014235261.tif 000004
【図３】
2014235261.tif 000005
【図４】
2014235261.tif 000006
【図５】
2014235261.tif 000007